(57)【要約】【課題】ワンセグ機能によるテレビジョン受像機としての利用が可能で、決済機能を有する携帯電話機２０をネックストラップ１０によって首から吊下げるようにする場合における、携帯電話機２０の位置を任意に変更できるようにする。【解決手段】ネックストラップ１０のペンダントに当たる部分にリール２７を内蔵する巻取り装置１３を取付けるようにし、この巻取り装置１３によって携帯電話機２０と接続されるコード１７を任意に巻取るようにする。しかも巻取り装置１３の筒状口部１５に対してクリップばね５８で係合および離脱可能な連結部材１６を設けるようにし、この連結部材１６に吊下げ紐２１を介して携帯電話機２０を吊下げるようにする。【選択図】図１
2008288960.tif 000002
【特許請求の範囲】
【請求項１】
首に巻付けられるネックストラップと、
前記ネックストラップに沿って配索されたコードの先端部に取付けられているイヤホンまたはヘッドホンと、
前記ネックストラップのペンダントに当たる部位に取付けられる巻取り装置と、
前記巻取り装置によって巻取られるとともに、前記巻取り装置の引出し部に連結される連結部材が結合されているコードと、
前記連結部材に吊下げられて支持されるとともに、前記コードの先端部のコネクタと接続されている携帯式電子機器と、
を有し、前記連結部材が前記巻取り装置に対して係合および離脱自在になっており、前記連結部材を前記巻取り装置から離脱させて前記巻取り装置から前記コードを引出すようにしたことを特徴とする吊下げ装置。
【請求項２】
前記イヤホンまたは前記ヘッドホンが前記携帯式電子機器からの音声信号に応じた音声を出力することを特徴とする請求項１に記載の吊下げ装置。
【請求項３】
前記巻取り装置がリールを備え、該リールによってコードを巻取ることを特徴とする請求項１に記載の吊下げ装置。
【請求項４】
前記リールがロック手段を備え、該ロック手段によってリールのロックが行なわれると前記コードの巻取りができなくなり、しかもロック状態において前記コードを引出すと前記ロック手段によるロックが解除されることを特徴とする請求項３に記載の吊下げ装置。
【請求項５】
前記巻取り装置の筒状口部に前記連結部材が着脱自在に結合されるようになっており、前記連結部材が前記筒状口部に結合されると、係合手段によって前記連結部材が結合された状態で係合保持されることを特徴とする請求項１に記載の吊下げ装置。
【請求項６】
前記コードの先端部のコネクタがプラグであることを特徴とする請求項１に記載の吊下げ装置。
【請求項７】
前記プラグにマイクロホンと操作スイッチとが設けられていることを特徴とする請求項６に記載の吊下げ装置。
【請求項８】
前記コードの前記巻取り装置からの引出し長さが０〜０．６ｍの範囲内であることを特徴とする請求項１に記載の吊下げ装置。
【請求項９】
前記連結部材に吊下げられる携帯式電子機器が携帯電話機であることを特徴とする請求項１に記載の吊下げ装置。
【請求項１０】
前記コードの余分な長さの部分を巻取る巻取り手段を備えることを特徴とする請求項１に記載の吊下げ装置。
【請求項１１】
コードを巻取るリールを有し、該リールの回転によって電子機器または電子部品に接続された前記コードを筐体の口部から引出すとともに、前記口部を通して巻取るようにした巻取り手段と、
前記巻取り手段の口部の近傍に設けられた係合部と、
前記コードに取付けられており、前記口部の係合部と係合および解除可能な連結部材と、
を有する巻取り装置。
【請求項１２】
コードを巻取るリールを有し、該リールの回転によって電子機器または電子部品に接続された前記コードを筐体の口部から引出すとともに、前記口部を通して巻取るようにした巻取り手段と、
前記巻取り手段の口部の近傍に設けられた係合部と、
前記巻取り手段と電子機器または電子部品とを連結する連結部材と、
前記連結部材に設けられており、前記巻取り手段の前記係合部に係合される係合手段と、
を有する巻取り装置。
【発明の詳細な説明】
【技術分野】
【０００１】
本発明は吊下げ装置および巻取り装置に係り、とくにコードが接続される電子機器を吊下げる吊下げ装置および吊下げ装置に用いられる巻取り装置に関する。
【背景技術】
【０００２】
携帯電話機の技術の進歩に伴って、各種の機能が取付けられるようになっている。すなわち携帯電話機に、デジタルカメラやミュージックプレーヤ等の機能のみならず、ワンセグテレビと称されるテレビジョン放送の受像機としての機能や、Ｓｕｉｃａ（登録商標）やＦｅｌｉｃａ（登録商標）等のような決済機能等の様々な付加機能が追加される傾向にある。これによって音楽の再生プレーヤを首からネックストラップによって吊下げ、また胸のポケットや鞄の中に入れて使用し、さらにその他に財布や定期券を持って行動する行動様式に代えて、携帯電話機をネックストラップによって首から吊下げて、テレビジョン放送の視聴や電車での移動、あるいは買い物等を行なうことが可能になっている。
【０００３】
一方で、電源や音声信号を伝達するためのコードが付いた電子機器において、コードを巻取るための巻取り装置を設けることは、例えば特公平５−３４８４０号公報や、実開昭５７−９１３８９号公報に開示されているように、従来から広く行なわれている。ヘッドホンやヘッドセットにおいても、収納時におけるコードの絡みを防止することを目的として、コードを巻取る巻取り機構を用いることは、とくに珍しくなくなっている。このような状況下において、携帯電話機の多機能化や、数百、数千の曲や映像を再生する携帯式デジタルプレーヤ等のような携帯式電子機器の進化によって、より便利な携帯性能を考慮した使用方法が求められる傾向にある。
【０００４】
しかるに、とくに多機能化する携帯電話機に対し、便利なストラップ式のヘッドホン、ヘッドセットは、存在しなかった。何故ならば、従来の小型プレーヤをネックストラップによって首から吊下げるタイプのものであって、ワンセグのテレビジョン受像機の機能や、決済機能を有する携帯電話機を首に吊下げて使用する場合には、ネックストラップから携帯電話機までの吊下げ長さが首から胸までで一定の値になる。従ってそのままの状態で、携帯電話機によってワンセグ機能を利用してテレビジョン受像機を視聴しようとすると、胸からの距離が２０ｃｍ程度の値になってしまい、ディスプレイの位置が近すぎる位置になる。このことから、携帯電話機によってテレビジョン受像機を視聴する場合には、ネックストラップを取外す必要があった。また自動改札機も腰の高さ程度の位置に自動改札機のタッチセンサがあるために、ネックストラップによって首から吊下げた携帯電話機を自動改札機のタッチセンサにかざすためには不自然な姿勢をとらなければならず、このために、いちいち携帯電話機を首から取外して携帯電話機を自動改札機のタッチセンサにアクセスする必要があった。
【０００５】
また巻取り装置によって巻取られるコードは、最大引出し長さを想定して全長が定められる。ところが実際には、使用する態様や、使用するユーザの好み等に応じて、使用されるコードの長さが変化する。従って、最大長さに設定された場合には、多かれ少なかれ、コードが余剰部分を生ずる。従ってこのような余剰部分は、何等かの巻取り手段によって巻取っておかないと、コードが他の部位に引掛かったり、扱いが面倒になったりする問題がある。
【特許文献１】特公平５−３４８４０号公報
【特許文献２】実開昭５７−９１３８９号公報
【発明の開示】
【発明が解決しようとする課題】
【０００６】
本願発明の課題は、首に巻付けられているネックストラップによって吊下げられるとともに、コードが巻取り装置によって巻取り可能であって、しかも使用位置が任意に調整可能な携帯式電子機器の吊下げ装置を提供することである。
【０００７】
本願発明の別の課題は、電子機器の荷重がコードにかからないようにした吊下げ装置を提供することである。
【０００８】
本願発明のさらに別の課題は、重量が重い電子機器であっても、巻取り装置から引出されてずり落ちることがないようにした吊下げ装置を提供することである。
【０００９】
本願発明のさらに別の課題は、コードの長さを任意に調整可能にし、これによって首から吊下げたままでテレビ放送の視聴を可能にした吊下げ装置を提供することである。
【００１０】
本願発明のさらに別の課題は、携帯情報端末を吊下げたままの状態で、しかも自動改札機のタッチセンサにアクセス可能な吊下げ装置を提供することである。
【００１１】
本願発明の上記の課題および別の課題は、以下に述べる本願発明の技術的思想およびその実施の形態によって明らかにされる。
【課題を解決するための手段】
【００１２】
本願の主要な発明は、首に巻付けられるネックストラップと、
前記ネックストラップに沿って配索されたコードの先端部に取付けられているイヤホンまたはヘッドホンと、
前記ネックストラップのペンダントに当たる部位に取付けられる巻取り装置と、
前記巻取り装置によって巻取られるとともに、前記巻取り装置の引出し部に連結される連結部材が結合されているコードと、
前記連結部材に吊下げられて支持されるとともに、前記コードの先端部のコネクタと接続されている携帯式電子機器と、
を有し、前記連結部材が前記巻取り装置に対して係合および離脱自在になっており、前記連結部材を前記巻取り装置から離脱させて前記巻取り装置から前記コードを引出すようにしたことを特徴とする吊下げ装置に関するものである。
【００１３】
ここで、前記イヤホンまたは前記ヘッドホンが前記携帯式電子機器からの音声信号に応じた音声を出力してよい。また前記巻取り装置がリールを備え、該リールによってコードを巻取ってよい。また前記リールがロック手段を備え、該ロック手段によってリールのロックが行なわれると前記コードの巻取りができなくなり、しかもロック状態において前記コードを引出すと前記ロック手段によるロックが解除されてよい。また前記巻取り装置の筒状口部に前記連結部材が着脱自在に結合されるようになっており、前記連結部材が前記筒状口部に結合されると、係合手段によって前記連結部材が結合された状態で係合保持されてよい。
【００１４】
またここで、前記コードの先端部のコネクタがプラグであってよい。また前記プラグにマイクロホンと操作スイッチとが設けられてよい。また前記コードの前記巻取り装置からの引出し長さが０〜０．６ｍの範囲内であってよい。また前記連結部材に吊下げられる携帯式電子機器が携帯電話機であってよい。また前記コードの余分な長さの部分を巻取る巻取り手段を備えてよい。
【００１５】
本願の別の主要な発明は、コードを巻取るリールを有し、該リールの回転によって電子機器または電子部品に接続された前記コードを筐体の口部から引出すとともに、前記口部を通して巻取るようにした巻取り手段と、
前記巻取り手段の口部の近傍に設けられた係合部と、
前記コードに取付けられており、前記口部の係合部と係合および解除可能な連結部材と、
を有する巻取り装置に関するものである。
【００１６】
本願のさらに別の主要な発明は、コードを巻取るリールを有し、該リールの回転によって電子機器または電子部品に接続された前記コードを筐体の口部から引出すとともに、前記口部を通して巻取るようにした巻取り手段と、
前記巻取り手段の口部の近傍に設けられた係合部と、
前記巻取り手段と電子機器または電子部品とを連結する連結部材と、
前記連結部材に設けられており、前記巻取り手段の前記係合部に係合される係合手段と、
を有する巻取り装置に関するものである。
【００１７】
本願発明の好ましい態様は、ネックストラップタイプのヘッドホン・ヘッドセットの吊下げ装置において、プラグ付きコードをぜんまいばね付きのリールで巻取るようにし、携帯電話機と連結された連結部材を備え、この連結部材にコードの引出しを防止する係合機構を設けるようにしたものである。ここで、コードの引出し長さを０〜０．６ｍの範囲内で調整可能にしている。またコードの引出し長さの固定手段を、コードをさらに引出すことによって解除することを可能にしている。また連結部材に携帯電話機を吊下げる吊下げ紐の長さを調整可能にしている。またコードの先端側のプラグにマイクロホンと着信スイッチとを設けるようにしている。またコードの余分な長さの部分を連結部材に収納可能にするか、あるいは巻取り手段を設けるか、若しくはカールコードにする。
【００１８】
このような態様によると、コードをぜんまいばね付きのリールで巻取るストラップ装着方式のヘッドホン・ヘッドセットにおいて、連結部材に係合機構を設けることによって、重量がある携帯電話機でも、その重さに関係なくずり下がることがなく、しかもコードを引出す際にも軽快でしかも巻取り力をも強すぎずに設定することが可能になる。また携帯電話機を巻取り可能なコードに連結したことによって、コードの長さを調整できるために、携帯電話機のワンセグ機能を利用して、テレビ放送を視聴する際に、ネックストラップによって首から吊下げたままの状態で、視聴することができる。また自動改札機を通過する際に、ネックストラップによって首から下げた携帯電話機をタッチセンサに容易にアクセスさせることができ、このためにいちいちネックストラップを首から外す必要がなくなる。またヘッドセットに構成する場合には、プラグの内部にマイクロホンを配置することによって、マイクロホン用のシールド線をマイク内部で完結することができ、巻取りコード部はオーディオ信号だけで済むようになり、線材構成が簡単で、コードも細くできる。また巻取り部分の小型軽量化とコード断線防止による耐久性の向上が可能になる。また接続用プラグ付きコードの余剰な長さを糸巻きに巻いたり、カールコードにしたりすることによって、余分なコードが外にはみ出すことがなくなる。
【発明の効果】
【００１９】
本願の主要な発明は、首に巻付けられるネックストラップと、ネックストラップに沿って配索されたコードの先端部に取付けられているイヤホンまたはヘッドホンと、ネックストラップのペンダントに当たる部位に取付けられる巻取り装置と、巻取り装置によって巻取られるとともに、巻取り装置の引出し部に連結される連結部材が結合されているコードと、連結部材に吊下げられて支持されるとともに、コードの先端部のコネクタと接続されている携帯式電子機器と、を有し、連結部材が巻取り装置に対して係合および離脱自在になっており、連結部材を巻取り装置から離脱させて巻取り装置からコードを引出すようにしたものである。
【００２０】
従ってこのような吊下げ装置によると、連結部材を巻取り装置から離脱させるとともに、携帯式電子機器を手で任意の位置に移動させる際に、この携帯式電子機器に接続されているコードが巻取り装置から引出されるようになり、これによって任意の位置で携帯式電子機器を使用することが可能になる。
【発明を実施するための最良の形態】
【００２１】
以下本願発明を図示の実施の形態によって説明する。図１は本実施の形態の携帯電話機の吊下げ装置の全体の構成を示しており、この吊下げ装置はネックストラップ１０を備えている。ネックストラップ１０は首に巻付けることによって、携帯電話機２０を吊下げて保持するようになっている。そしてネックストラップ１０にはその長さ方向に沿ってコード１１が配索されるとともに、押え１４の位置でこのコード１１がネックストラップ１０から分離されるようになっている。そしてコード１１の先端にはイヤホン１２あるいはヘッドホンが接続される。イヤホン１２は、携帯電話機２０をミュージックプレーヤとして使用する場合の再生装置として機能する。あるいはまた携帯電話機２０によってハンズフリーで用いるときの受話器としてイヤホン１２が用いられる。
【００２２】
上記ネックストラップ１０のペンダントに当たる部位に、巻取り装置１３が取付けられる。この巻取り装置１３の下端側の筒状口部１５に連結部材１６が接続されるとともに、この連結部材１６の側方からコード１７が引出され、このコード１７の先端部にプラグ１８が接続されている。プラグ１８は、携帯電話機２０の側面側のジャックに挿入されるようになっている。そして携帯電話機２０は、上記連結部材１６に、吊下げ紐２１を介して吊下げられるようになっている。
【００２３】
この携帯電話機２０の吊下げ方式の特徴は、携帯電話機２０の荷重を、巻取り装置１３、連結部材１６、および吊下げ紐２１を介してネックストラップ１０によって吊下げるものである。ここで巻取り装置１３によって引出しおよび巻取り自在になっているコード１７には、携帯電話機２０の荷重がかからないようになっている。これは連結部材１６に係合機構が設けられ、この係合機構によって、連結部材１６が巻取り装置１３の筐体の筒状口部１５に係合保持される構造を採用しているからである。
【００２４】
巻取り装置１３の筒状口部１５と連結部材１６との係合を解除すると、図２に示すように、連結部材１６が筒状口部１５から離脱する。従って携帯電話機２０を手で持って、巻取り装置１３から離れるように移動させると、この携帯電話機２０に接続されているプラグ１８が接続されているコード１７が、巻取り装置１３の筒状口部１５から引出されるようになる。従ってこの巻取り装置１３に巻取られているコード１７の最大長まで任意に引出して携帯電話機２０を任意の位置に移動させることができる。従って、例えば自動改札機のタッチセンサにアクセスさせる場合においても、連結部材１６を筒状口部１５から離脱させて携帯電話機２０を自動改札機のタッチセンサの上に容易にかざすことができる。
【００２５】
図３は巻取り装置１３および連結部材１６の構成を示している。巻取り装置１３はシャーシ２５を備え、このシャーシ２５の中心部に立設して支軸２６が設けられている。そして支軸２６によって上記コード１７を巻取るためのリール２７が回転自在に支持される。リール２７の上部は凹部２８になっており、この凹部２８内にぜんまいばね２９が収納される。ぜんまいばね２９は、リール２７の外周面上にコード１７を巻取るための弾性復元力をチャージするようになっている。またリール２７の下面にはスリップリングが設けられ、このスリップリングと接触するようにブラシ３０がシャーシ２５の底部に取付けられている。ブラシ３０は、上記ネックストラップ１０に沿って配索されるコード１１に接続される。従ってリール２７によって巻取り可能なコード１７と、ネックストラップ１０に沿って配索されるコード１１とが、上記スリップリングとブラシ３０とによって互いに電気的に接続される。
【００２６】
シャーシ２５の下面にはフロントカバー３５が取付けられる。これに対してシャーシ２５の上側にはリヤカバー３６が取付けられる。リヤカバー３６の下面には、支軸３７が立設されるとともに、支軸３７の側部にホルダ３８が配され、このホルダ３８によってボール３９を支持するようにしてる。ボール３９は鋼球から構成され、ロック円板４０の溝に嵌り込むようになっている。しかもロック円板４０が上記リール２７に結合されるために、このロック円板４０を介してコード１７の引出しおよびロックを行なうようにしている。
【００２７】
上記フロントカバー３５とリヤカバー３６とによって閉塞される巻取り装置の下端側の部分には、シャーシ２５から延出された半筒状部４３と、リヤカバー３６によって押さえられる半筒状部４４とが互いに結合され、これによって筒状口部１５が組立てられるようになっている。そして筒状口部１５の外周面上には係合溝４５が形成され、この係合溝４５によって連結部材１６と巻取り装置１３との係合を達成するようにしている。また筒状口部１５を構成する半筒状部４３、４４を結合状態で保持するために押えリング４６が筒状口部１５の根元側に取付けられる。以上のような構成に係る巻取り装置の断面構成が、図５に示される。
【００２８】
次に上記巻取り装置１３の筒状口部１５に係合および離脱可能に連結される連結部材１６の構成を説明する。連結部材１６は図３および図６に示すように、筒状をなすコードホルダ５１を備え、このコードホルダ５１内をコード１７が挿通されるとともに、側方に引出されるようになっている。そしてコードホルダ５１の上部には背面側押え５２が、下端側には操作部材５３が取付けられるようになっている。また操作部材５３の内側には、互いに対向するように支軸５４が突設されている。この支軸５４は、コードホルダ５１の下面に設けられている軸受５５によって回転可能に支持されるようになっている。すなわち操作部材５３は、上記支軸５４と軸受５５とを介して、コードホルダ５１の下面において回動可能に支持されるようになっている。しかも上記支軸５４の周囲に巻ばね５６が取付けられており、この巻ばね５６によって、図７Ａに示すように、操作部材５３は支軸５４を中心として反時計方向に回動付勢されるようになっている。
【００２９】
上記操作部材５３の内表面には、一対のフック５７が一体に形成され、このフック５７によってクリップばね５８が支持される。クリップばね５８はほぼＵ字状の形状をなし、コードホルダ５１の両側部に形成されているスリット５９内に受入れられるとともに、このクリップばね５８が上記筒状口部１５の外周面の係合溝４５に係合されることによって、連結部材１６と巻取り装置１３の筒状口部１５とが互いに係合状態になる。従ってこれにより、連結部材１６は、その荷重が筒状口部１５を介して巻取り装置１３によって受けられるようになり、コード１７に携帯電話機２０の荷重がかからなくなる。
【００３０】
コードホルダ５１の端部には取付け部材６２が取付けられる。取付け部材６２は、上記吊下げ紐２１を取付けるようにしている。この吊下げ紐２１は、携帯電話機の紐挿通孔に挿通されるようになっている。従って連結部材１６は、取付け部材６２に取付けられる吊下げ紐２１を介して携帯電話機２０を吊下げて支持することになる。
【００３１】
次に上記コード１７の先端部であってコードホルダ５１の側部から引出されたコード１７の先端に接続されるプラグ１８の構造について説明する。図３および図６に示すように、プラグは両側から互いに接合されるプラグケース６７、６８を備えるとともに、とくに図３に示すように、このプラグケース６７、６８内に回路基板６９が配されている。そして回路基板６９上にマイクロホン７０が実装されている。またプラグケース６７、６８の上部には、操作釦７１が取付けられるようになっている。
【００３２】
次に上記巻取り装置１３によるコード１７の巻取りの動作を説明する。ロック円板４２は図４に示すように、その外周側に外周側の溝７５が形成される。外周側の溝７５には、その円周方向の所定の位置に壁部７６が形成されている。壁部７６は、比較的低い高さになっている。そしてこの壁部７６の近傍に、Ｖ字状ロック部７７が形成されている。またロック円板４０の中心側には、内周側の溝７８が形成されている。そして内周側の溝７８と外周側の溝７５とを連通させるように連通溝７９が形成されるようになっている。
【００３３】
このようなロック円板４０を用いたコード１７の巻取り機構部は、コード１７を引出したときに、リール２７が少し戻って止まり、巻取る際にはコード１７を少し引くと巻取りが始まる動作を行なうようにしている。ここでこの動作を図４Ａ、Ｂ、Ｃによって説明する。なおこの巻取り装置は、巻取り円板４０がリール２７に結合されており、これに対してボール３９はホルダ３８によって半径方向に移動するようになっている。しかるにここでは、説明の便宜上、ロック円板４０に対してボール３９が相対的に回転することに鑑みて、ボール３９をロック円板４０に対して回転動作させた状態で説明をする。
【００３４】
ボール３９は、コード１７の引出し時に図４Ａに示すロック円板４０の外周側の溝７５上を時計回りに移動する。ここでコード１７が引出されている間は、この外周側の溝７５を遮断する壁部７６を乗越えることを繰返すようにしており、これによってリール２７に巻取られているコード１７の全長をも巻出すことを可能にしている。
【００３５】
コード１７の引出しを停止すると、図４Ｂに示すように、ぜんまいばね２９の弾性復元力によってリール２７が反時計方向に回転し、このリール２７にコード１７が巻込まれる。このときにボール３９は、ロック円板４０の外周側の溝７５内を時計方向に移動し、内側の溝７８と連続するＶ字状ロック部７７に引掛かるために、図４Ｂに示す状態でロック動作が行なわれる。すなわちこのような状態において、ボール３９とロック円板４０との相対運動が停止することになり、リール２７がロックされる。なお図４Ｂにおける最大引込み位置８０の位置にボール３９が位置した場合が、ボール３９が最も長い経路を反時計回りにロック位置まで戻ることになり、これによって最大で８０ｍｍ程度のコード１７が引込まれて止まることになる。
【００３６】
このようにボール３９がＶ字状ロック部７７にロックされた状態でさらにコード１７を引張ると、ボール３９はＶ字状ロック部７７から内周側の溝７８を時計回りに移動する。Ｖ字状ロック部７７と内周側の溝７８とを隔てる壁部８１は、ボール３９が反時計方向の回転を行なうときには乗越えることができないものの、時計方向に移動する場合にはこの壁部８１を乗越えることが可能になる。そしてこの後に、内周側の溝７８を通過したボールは、連通溝７９によって外周側の溝７５内を移動するようになり、このために図４Ａに示す動作と同じ動作を行なう。なおボール３９が内周側の溝７８内にある内に、コード１７を戻すと、ボール３９は内周側の溝７８を反時計方向に回り続けるために、ロック動作が行われず、これによってコード１７はその全長を巻戻されることになる。コード１７の引出し長さは０．５ｍであって、ロックできる最大長さは０．４５ｍになる。
【００３７】
上記ロック円板４０の下側に配されるぜんまいばね２９としては、板圧が０．１ｍｍ程度の板ばねが用いられている。一般にワンセグ機能と決済機能が付いた１６０ｇ程度の携帯電話機を吊下げるのに要する力を、このぜんまいばね２９が負担することができない。従ってロック円板４０によるロックが解除された状態で手を離すと、コード１７が巻取り装置１３のリール２７から引出された状態で、携帯電話機２０が落下するものの、このときにリール２７の動作によって、携帯電話機２０の落下が緩衝されるために、携帯電話機２０に対して大きな衝撃が加わることが防止される。また巻取りを行なうためには、コード１７を引張るだけでよく、このために巻取り釦が不要になる。そして巻取り釦を無くすことによって、ストラップ装着時に不用意な巻取りを防止することができる。
【００３８】
次に連結部材１６と筒状口部１５との係合および離脱の構造を図７によって説明する。連結部材１６を巻取り装置１３の筒状口部１５と接続させると、図７Ａに示すように、コードホルダ５１の中心孔の部分に筒状口部１５が侵入することになる。従ってコードホルダ５１のスリット５９に臨むクリップばね５８が、筒状口部１５の先端側のテーパ部を乗越えて係合溝４５に落込むようになる。すなわちクリップばね５８によって、筒状口部１５と連結部材１６との係合構造が達成される。従って、吊下げ紐２１を介して連結部材６１に吊下げられる携帯電話機２０は、上記のクリップばね５８の係合構造によって、巻取り装置１３の筐体によってその荷重が負担される状態になる。
【００３９】
次にこのような連結部材１６の操作部材５３を図８に示すように押圧し、巻ばね５６に抗して支軸５４を中心としてこの操作部材５３を時計方向に回転操作すると、この操作部材５３の背面側のフック５７がクリップばね５８を下方に引張るようになる。これによってスリット５９内に臨んでいるクリップばね５８が筒状口部１５の係合溝４５から離脱する。これによって、巻取り装置１３の筒状口部１５と連結部材１６との係合が解除されるようになる。
【００４０】
従って例えばワンセグ機能を利用して、携帯電話機２０によってテレビジョン放送を視聴する場合や、自動改札機のタッチセンサに携帯電話機２０をアクセスさせる場合には、図２に示すように、この携帯電話機２０を大きく下方に位置させるようにすることができる。なおこのときに、携帯電話機２０に接続されているプラグ１８を有するコード１７は、上記巻取り装置１３の筒状口部１５から引出されることになる。すなわち携帯電話機２０によって自動改札を通過する際には、この携帯電話機２０を片手で握りながら吊下げ紐２１が取付けられている連結部材１６の操作部材５３を操作することによって、筒状口部１５から連結部材１６を外すことが可能になる。
【００４１】
次に上記連結部材１６の側部から引出されるとともに、先端部にプラグ１８が接続されているコード１７（図１参照）の巻取り装置８５について説明する。この巻取り装置８５は、図９〜図１１に示すように、弾性材料、例えばゴムによって一体に成形された成形体であって、中間部分が棒状をなす巻取り部８６に構成されている。なお巻取り部８６は、必ずしも無空の棒状である必要はなく、筒体から構成されてもよい。また巻取り部８６の両側にはそれぞれカップ状、あるいは半球状のフランジ８７が一体に連結されている。なおフランジ８７は、図９Ａ、Ｂに示すように、両側のフランジ８７が互いに背中合わせの状態と、図９Ｃに示すように、両側のフランジ８７の外周縁が互いに接触あるいは近接する近接位置の２つの姿勢をとるようになっており、フランジ８７を弾性変形させることによって、ある位置を境にして離反位置と近接位置の何れかの姿勢をとることになる。また上記巻取り部８６には、その中間位置に、図１０に示すような凹部から成る引掛け部８８が形成され、この引掛け部８８によって、巻取るコード１７の一部を挿入して引掛けるようにしている。
【００４２】
このようにゴムによって一体成形された巻取り装置８５によってコード１７を巻取る場合には、図９Ａおよび図１０に示すように、巻取り部８６の引掛け部８８にコード１７を引掛ける。このような状態で、コード１７を巻取り部８６の外周部に図９Ｂおよび図１０に示すように巻取る。なお巻取り量は、図１に示されるように、このコード１７の必要長さよりも長い余剰の部分を巻取る長さとする。
【００４３】
巻取り部８６によってコード１７を巻取る際には、図９Ａ、Ｂ、および図１０に示すように、巻取り部８６の両側のカップ状をなすフランジ８７を互いにそれらが背中合わせになるように弾性変形させておく。これによって巻取り部８６に対するコード１７の巻取りが容易になる。そして巻取りを終わったならば、両側のフランジ８７を図９Ｃおよび図１１に示すように、近接状態となるように弾性変形させる。このフランジ８７の変形動作は、フランジ８７を所定の位置を越えて弾性変形させることによって、フランジ８７の外周縁の部分が互いに近接あるいは当接する姿勢をとるようにする。このような姿勢に変化させると、とくに図９Ｃに示すように、巻取り装置８５が全体としてほぼ球状をなすとともに、巻取り部８６によって巻取られたコード１７が外からほとんど見えなくなる。しかもフランジ８７によって内部の巻取り部を覆っているために、コード１７が不測に解けることがなくなる。
【００４４】
このような巻取り装置８５を成形するための成形装置は、図１２に示される。すなわちここでは、巻取り部８６の軸線方向と直交する上下の方向に開閉自在な一対の第１の成形型９１と、巻取り部８６の軸線方向に開閉自在な第２の成形型９２とを備えている。これらの成形型９１、９２を互いに閉じることによって、これらの成形型の間に形成されるキャビティ内に、溶融したゴムを射出し、成形することによって、巻取り装置８５が一体成形されるようになる。このような巻取り装置は、上述の如く、ゴムの射出成形体であるために、一体であるとともに、フランジ８７が弾性変形可能な構造をなしている。また単一の部品点数の巻取り装置８５が製造されるようになる。
【００４５】
このように本実施の形態においては、携帯電話機２０と接続されたコード１７をぜんまいばね２９を内蔵するリール２７で巻取るストラップ装置方式のヘッドホン・ヘッド装置において、クリップばね５８を有する連結部材１６を用いることによって、重量がある携帯電話機２０であっても、この携帯電話機２０の重量に関係なくずり下がることがなくなり、しかも引出す際にも、弱い弾性復元力のぜんまいばね２９に抗して軽快に引出すことができ、またぜんまいばね２９によるリール２７の巻取り力も強すぎることがなくなる。また携帯電話機２０をコード１７にプラグ１８を介して連結したことによって、コード１７の長さを調整できるために、携帯電話機２０によって、ワンセグの機能を利用してテレビジョン受像機を視聴する際に、ネックストラップ１０によって携帯電話機２０を首から下げたままの状態で視聴することができる。また自動改札機のタッチセンサとアクセスする際にも、図２に示すように、携帯電話機２０を容易にタッチセンサにかざすことができ、その際にネックストラップ１０をいちいち胸元から取外す必要がなくなる。またヘッドセットとして用いる場合に、プラグ１８の内部にマイクロホン７０を配置することによって、マイクロホン７０のシールド線をマイクロホン内部で完結させることができ、巻取り装置で巻取られるコード１７はオーディオ信号だけで済むために、線材構成が簡単で、コード１７も細くできるために、巻取り部分の小型軽量化と、コードの断線防止による耐久性の向上が可能になる。また接続用プラグ付きコード１７の余剰部分を巻取り装置８５（図１参照）によって巻取ったり、あるいはまたコード１７のこの部分をカールコードとすることによって、コード１７の余分な部分がはみ出すことがなくなる。
【００４６】
すなわち、コード１７の連結部材１６の側部から引出された部位であって、プラグ１８を先端に接続しているコード１７の余剰部分が、巻取り装置８５によって巻取られるようになっている。このような巻取り装置８５は、上述の如く、一体成形されたゴムから構成されている。そしてこのような巻取り装置は、図９ＡおよびＢに示すように、巻取り部８６の両側のフランジ８７を互いに離反状態にし、この状態で巻取り部８６上にコード１７を巻取るとともに、所定の長さのコード１７を巻取った後に、図９Ｃに示すように、両側のフランジ８７を、それらの外周縁が互いに当接または近接する近接位置となるように弾性変形させるようにしている。従って図９Ｃに示すように、ほぼ球状をなす巻取り装置内に余剰のコード１７が巻取られることになり、これによって余剰のコード１７の処理が容易に行なわれることになる。
【００４７】
以上本願発明を図示の実施の形態によって説明したが、本願発明は上記実施の形態によって限定されることなく、本願発明の技術的思想の範囲内において各種の変更が可能である。例えば上記実施の形態における連結部材１６と巻取り装置１３の筒状口部１５との係合構造としては、必ずしもクリップばね５８を用いた構造にする必要はなく、その他各種の係合構造を任意に選択可能である。またこの吊下げ装置は、必ずしも携帯電話機２０の吊下げ装置に限定されることなく、その他各種の携帯式電子機器の吊下げ装置として広く利用可能である。
【産業上の利用可能性】
【００４８】
本願発明は、携帯電話機をネックストラップによって吊下げるための吊下げ装置として広く利用可能である。
【図面の簡単な説明】
【００４９】
【図１】携帯電話機の吊下げ装置の全体の構成を示す正面図である。
【図２】携帯電話機に接続されたコードを引出す動作を示す斜視図である。
【図３】巻取り装置の構成を示す分解斜視図である。
【図４】巻取り装置のロック機構の動作を示す正面図である。
【図５】巻取り装置の内部構造を示す縦断面図である。
【図６】巻取り装置の筒状口部と接続される連結部材の構成を示す分解斜視図である。
【図７】連結部材による係合動作を示す縦断面図および横断面図である。
【図８】同係合の解除動作を示す縦断面図および横断面図である。
【図９】巻取り装置によるコードの巻取り動作を示す斜視図である。
【図１０】巻取り装置によるコードの巻取り動作を示す正面図である。
【図１１】フランジを近接位置に弾性変形させた状態の巻取り装置の縦断面図である。
【図１２】巻取り装置を成形する成形型の縦断面図である。
【符号の説明】
【００５０】
１０…ネックストラップ、１１…コード、１２…イヤホン、１３…巻取り装置、１４…押え、１５…筒状口部、１６…連結部材、１７…コード、１８…プラグ、２０…携帯電話機、２１…吊下げ紐、２５…シャーシ、２６…支軸、２７…リール、２８…凹部、２９…ぜんまいばね、３０…ブラシ、３５…フロントカバー、３６…リヤカバー、３７…支軸、３８…ホルダ、３９…ボール、４０…ロック円板、４３、４４…半筒状部、４５…係合溝、４６…押えリング、５１…コードホルダ、５２…背面側押え、５３…操作部材、５４…支軸、５５…軸受、５６…巻ばね、５７…フック、５８…クリップばね、５９…スリット、６２…取付け部材、６７、６８…プラグケース、６９…回路基板、７０…マイクロホン、７１…操作釦、７５…外周側の溝、７６…壁部、７７…Ｖ字状ロック部、７８…内周側の溝、７９…連通溝、８０…最大引込み位置、８１…壁部、８５…巻取り装置、８６…巻取り部、８７…フランジ、８８…引掛け部、９１…第１の成形型、９２…第２の成形型
【図１】
2008288960.tif 000003
【図２】
2008288960.tif 000004
【図３】
2008288960.tif 000005
【図４】
2008288960.tif 000006
【図５】
2008288960.tif 000007
【図６】
2008288960.tif 000008
【図７】
2008288960.tif 000009
【図８】
2008288960.tif 000010
【図９】
2008288960.tif 000011
【図１０】
2008288960.tif 000012
【図１１】
2008288960.tif 000013
【図１２】
2008288960.tif 000014